(57)【要約】【課題】  通報があってから派遣者が到着するまでの時間経過を管理することができる事件情報表示装置を提供する。【解決手段】  通報された事件の通報情報を受信し通報情報に基づき現場への派遣を指令した指令時刻を入力する入力部２と、現時刻と指令時刻とを比較し差分時間を抽出する検出部３と、指令時刻から現場に到着するまでの設定時間を登録して保持する保持部４と、通報情報を表示する表示部１と、差分時間と設定時間とを比較し差分時間が設定時間を超えることを検出すると表示部１に当該通報情報が存在することを判別できる判別指示を行う比較部５とを備えたものである。【選択図】        図１
2005165536.tif 000002
【特許請求の範囲】
【請求項１】
通報された事件の通報情報を受信し上記通報情報に基づき現場への派遣を指令した指令時刻を入力する入力部と、現時刻と上記指令時刻とを比較し差分時間を抽出する検出部と、上記指令時刻から現場に到着するまでの設定時間を登録して保持する保持部と、上記通報情報を表示する表示部と、上記差分時間と上記設定時間とを比較し上記差分時間が設定時間を超えることを検出すると上記表示部に当該通報情報が存在することを判別できる判別指示を行う比較部とを備えたことを特徴とする事件情報表示装置。
【請求項２】
現場の位置情報を検出する通報地点検出部と、上記現場へ派遣された派遣者の位置情報を検出する位置検出部とを備え、上記比較部は差分時間が設定時間を超えることを検出すると、上記表示部に上記通報地点検出部および上記位置検出部の情報により派遣者の位置と通報地点とを地図表示する指示を行うこと特徴とする請求項１に記載の事件情報表示装置。
【請求項３】
上記比較部は、視覚的または／および聴覚的に判別できる手段にて成ることを特徴とする請求項１または請求項２に記載の事件情報表示装置。
【請求項４】
上記視覚的に判別できる手段として、上記該当の通報情報の表示を上記他の通報情報の表示と色を変えて表示するか、上記該当の通報情報の表示のみを点滅表示するか、上記表示部にランプを配設し上記ランプを点灯するかのいずれかまたは組み合わせて行うことを特徴とする請求項３に記載の事件情報表示装置。
【請求項５】
上記聴覚的に判別できる手段として、上記表示部に音声発生部を配設し上記音声発生部から音声を発生させることを特徴とする請求項３に記載の事件情報表示装置。
【発明の詳細な説明】
【技術分野】
【０００１】
本発明は、事件事故発生時に特定番号通報により指令センターに事件情報を通報し、通報を受けた指令センターで事件発生場所に緊急車両を急行させて事件の情報を聴取する指令システムにおける事件情報を表示する事件情報表示装置に関するものである。
【背景技術】
【０００２】
従来の警察署端末装置は、指令センターで事件事故の通報を受けるとパトカーに現場急行の指令を行っていた。そして、指令を受けたパトカーが事件現場に到着したかどうかはパトカーから到着の報告を受けるか、あるいは、通報者からパトカーが到着していないと再度通報を受けないとわからなかった。また、パトカーが現場に到着した事件に対してはその事件に対する表示の色変えを行うだけで、通報を受けてからどのくらい時間が経過しているかがわからないといった問題があった（例えば、特許文献１参照）。
【０００３】
【特許文献１】特開２００２−１４９９１５号公報
【発明の開示】
【発明が解決しようとする課題】
【０００４】
従来の事件情報表示装置は上記のように構成されているので、指令センターで事件事故の通報を受けるとパトカーに現場急行の指令を行っていたが、通報を受けてからパトカーが現場に到着するまでに時間が長く経過しているかどうかがわからないという問題があった。
【０００５】
本発明は、上記の問題点を解決するためになされたもので、通報があってから派遣者が到着するまでの時間経過を管理することができる事件情報表示装置を得ることを目的とする。
【課題を解決するための手段】
【０００６】
本発明は、通報された事件の通報情報を受信し通報情報に基づき現場への派遣を指令した指令時刻を入力する入力部と、現時刻と指令時刻とを比較し差分時間を抽出する検出部と、指令時刻から現場に到着するまでの設定時間を登録して保持する保持部と、通報情報を表示する表示部と、差分時間と設定時間とを比較し差分時間が設定時間を超えることを検出すると表示部に当該の通報情報が存在することを判別できる判別指示を行う比較部とを備えたものである。
【発明の効果】
【０００７】
本発明の事件情報表示装置は、通報された事件の通報情報を受信し通報情報に基づき現場への派遣を指令した指令時刻を入力する入力部と、現時刻と指令時刻とを比較し差分時間を抽出する検出部と、指令時刻から現場に到着するまでの設定時間を登録して保持する保持部と、通報情報を表示する表示部と、差分時間と設定時間とを比較し差分時間が設定時間を超えることを検出すると表示部に当該通報情報が存在することを判別できる判別指示を行う比較部とを備えたので、通報されてから派遣者が到着するまでの時間経過を管理することができる。
【発明を実施するための最良の形態】
【０００８】
実施の形態１．
以下、本発明の実施の形態について説明する。図１は本発明の実施の形態１の事件情報表示装置の構成を示すブロック図、図２は図１に示した事件情報表示装置の表示部の表示例を示す図、図３は図１に示した事件情報表示装置の動作を説明するためのフローチャートである。図において、通報された事件の通報情報を受信し通報情報に基づき現場への派遣を指令者が派遣者（例えばパトカーに乗車している警察官など）に指令した指令時刻を入力する入力部２と、現時刻と指令時刻とを比較し差分時間を抽出する検出部３と、指令時刻から現場に到着するまでの設定時間を登録して保持する保持部４とを備える。この設定時間は、指令時刻から派遣者が現場に到着するまでの時間であり、一般的に通報者が不安を感じるまでの時間、例えば５分間、１０分間などが設定時間とされる。
【０００９】
さらに、通報情報を表示する表示部１と、差分時間と設定時間とを比較し差分時間が設定時間を超えることを検出すると表示部１に当該通報情報が存在することを判別できる判別指示を行う比較部５と、現場の位置情報を検出する通報地点検出部７と、現場へ派遣された派遣者の位置情報を検出する位置検出部６とを備える。そして比較部５は差分時間が設定時間を超えることを検出すると、表示部１に通報地点検出部７および位置検出部６の情報により派遣者の位置と通報地点との地図表示を行うことを指示する。また、ここでは表示部１が該当の通報情報が存在することを判別できる視覚的な手段として、該当の通報情報を他の通報情報と色を変えて表示する。
【００１０】
次に上記のように構成された実施の形態１の事件情報表示装置の動作について図３のフローチャートに基づいて説明する。まず、通報者が事件を通報する。この際の情報を通報情報としては、通報日時、通報場所などが入力部２に入力される。そして、表示部１は例えば図２の画面８に示すように通報情報を表示する（図３のステップ１０）。次に、指令者が、派遣者へ現場に急行することを指令し、この指令時刻が入力部２に入力される（図３のステップ１１）。そして、この指令時刻が表示部１に表示される。
【００１１】
次に、検出部３は指令時刻と現在時刻とを比較し差分時間を抽出する。そして、比較部５ではこの差分時間と保持部４に保持されている設定時刻とを比較し（図３のステップ１２）、差分時間が設定時間を超過していない場合にはステップ１１に戻る。また、差分時間が設定時間を時間超過していると判断された場合には、比較部５は表示部１に該当の事件の色変え表示の指示を行い、表示部１は該当の事件の色変え表示を行う（図３のステップ１３）。次に、比較部５は差分時間が設定時間を超えることを検出されると、表示部１に地図表示を指示する（図３のステップ１４）。そして、表示部１は通報地点検出部７および位置検出部６の情報により派遣者の位置と通報地点とを例えば図２に示すように地図表示画面９にて表示する（図３のステップ１５）。
【００１２】
上記のように構成された実施の形態１の事件情報表示装置によれば、現場急行を指令した後、一定時間を経過したことが画面に表示され認識することができる。またその時点において現場位置と派遣者の位置とを地図表示にて確認することができる。よって、通報者から派遣者が到達していないことの再度の通報を受けなくても現場に急行している派遣者の状態がわかり、例えば通報者にあと何分で派遣者が到着するかなどの連絡を行うことができ、通報者を安心させることができる。
【００１３】
実施の形態２．
上記実施の形態１では、現場急行を指令した後、設定時間を超過した通報情報を色変え表示する方法を示したがこれに限られることはなく、例えば他の視覚的な手段として設定時間を超過した通報情報を点滅表示させることにより、指令者が該当事件を速やかに認識することができるようにしてもよい。図４のこの発明の実施の形態２の事件情報表示装置の動作のフローチャートに示すように、上記実施の形態１と同様の動作を行い、検出部３は指令時刻と現在時刻とを比較し差分時間を抽出する。そして、比較部５ではこの差分時間と保持部４に保持されている設定時刻とを比較し（図４のステップ１２）、差分時間が設定時間を時間超過していると判断された場合には、比較部５は表示部１に該当の事件の点滅表示を指示し、表示部１は該当の事件の点滅表示を行う（図４のステップ１６）。以下の動作は上記実施の形態１と同様に行う。
【００１４】
上記のように構成された実施の形態２の事件情報表示装置は、指令時刻から設定時間を超過した通報情報を点滅表示するので、指令者が確実に当該事件を認識することができる。
【００１５】
実施の形態３．
上記各実施の形態では、現場急行を指令した後、設定時間を超過した事件に対して視覚的に判断することができる例を示したがこれらに限られることはなく、聴覚的に判断することができる手段を備えてもよく、設定時間を超過した事件が発生した場合、表示部に音声発生部を設置しこの音声発生部から警報音を鳴動させることにより、指令者が設定時間を超過した事件が発生していることを確実に認識させることができる。図５のこの発明の実施の形態３の事件情報表示装置の動作のフローチャートに示すように、上記各実施の形態と同様の動作を行い、検出部３は指令時刻と現在時刻とを比較し差分時間を抽出する。そして、比較部５ではこの差分時間と保持部４に保持されている設定時刻とを比較し（図５のステップ１２）、差分時間が設定時間を時間超過していると判断された場合には、比較部５は表示部１の音声発生部に警報音としてのブザー鳴動を指示し、表示部１の音声発生部は警報音を発生する（図５のステップ１７）。以下の動作は上記各実施の形態と同様に行う。
【００１６】
上記のように構成された実施の形態３の事件情報表示装置は、指令時刻から設定時間を超過した通報情報が存在することを警報音を発生することにより、指令者に聴覚的に知らせ指令者が表示部から目を外していたても確実に当該事件が発生したことを認識することができる。
【００１７】
実施の形態４．
また、他の視覚的な手段として、設定時間を超過した該当事件が発生した場合、表示部にランプを設置し、このランプを点滅させることにより、指令者が設定時間を超過した該当事件があることを認識させることができる。図６のこの発明の実施の形態４の事件情報表示装置の動作のフローチャートに示すように、上記各実施の形態と同様の動作を行い、検出部３は指令時刻と現在時刻とを比較し差分時間を抽出する。そして、比較部５ではこの差分時間と保持部４に保持されている設定時刻とを比較し（図６のステップ１２）、差分時間が設定時間を時間超過していると判断された場合には、比較部５は表示部１のランプの点滅を指示し、表示部１のランプの点滅を行う（図６のステップ１８）。以下の動作は上記各実施の形態と同様に行う。
【００１８】
上記のように構成された実施の形態４の事件情報表示装置は、指令時刻から設定時間を超過した通報情報が存在することをランプを点滅させることにより、指令者が表示部から目を外していたても指令者の視野にランプの点滅が入れば当該事件が発生したことを認識することができる。
【００１９】
実施の形態５．
上記各実施の形態では、現場急行を指令した後、設定時間を超過した該当事件に対して視覚的または聴覚的に判断できる手段を備える例を示したが、これに限られることはなく、視覚的と聴覚的とを組み合わせ、表示部に設置された音声発生部から警報音を発生するとともにランプを点滅させることにより、指令者が設定時間を超過した該当事件があることを認識させることができる。図７のこの発明の実施の形態４の事件情報表示装置の動作のフローチャートに示すように、上記各実施の形態と同様の動作を行い、検出部３は指令時刻と現在時刻とを比較し差分時間を抽出する。そして、比較部５ではこの差分時間と保持部４に保持されている設定時刻とを比較し（図７のステップ１２）、差分時間が設定時間を時間超過していると判断された場合には、比較部５は表示部１の音声発生部の警報音発生およびランプの点滅を指示し、表示部１のランプの点滅および警報音の発生を行う（図７のステップ１９）。以下の動作は上記各実施の形態と同様に行う。
【００２０】
上記のように構成された実施の形態５の事件情報表示装置は、指令時刻から設定時間を超過した通報情報が存在することを警報音を発生させかつランプを点滅させることにより、指令者が表示部から目を外していたても指令者の音声の聞こえる範囲または視野にランプの点滅が入れば当該事件が発生したことを認識することができる。
【００２１】
尚、上記各実施の形態における該当事件発生時の判別方法は適宜組み合わせて実施することができることは言うまでもない。
【図面の簡単な説明】
【００２２】
【図１】この発明の実施の形態１の事件情報表示装置の構成を示すブロック図である。
【図２】図１に示した事件情報表示装置の表示部の表示例を示す図である。
【図３】図１に示した事件情報表示装置の動作を説明するためのフローチャートである。
【図４】この発明の実施の形態２の事件情報表示装置の動作を説明するためのフローチャートである。
【図５】この発明の実施の形態３の事件情報表示装置の動作を説明するためのフローチャートである。
【図６】この発明の実施の形態４の事件情報表示装置の動作を説明するためのフローチャートである。
【図７】この発明の実施の形態５の事件情報表示装置の動作を説明するためのフローチャートである。
【符号の説明】
【００２３】
１  表示部、２  入力部、３  検出部、４  保持部、５  比較部、６  位置検出部、
７  通報地点検出部。
【図１】
2005165536.tif 000003
【図２】
2005165536.tif 000004
【図３】
2005165536.tif 000005
【図４】
2005165536.tif 000006
【図５】
2005165536.tif 000007
【図６】
2005165536.tif 000008
【図７】
2005165536.tif 000009